(57)【要約】【課題】  カム板が規定駆動範囲を超えて移動しようとした場合であっても、ズーム機構に不要な負荷を掛けないようにする。【解決手段】  カム板１０が規定駆動範囲の終端に位置する状態から更に移動しようとした際には、カム板１０に設けられた歯部１０ｃが減速ギヤ６の歯部から係脱してズーム機構に不要な負荷を掛けないようにする。更に、板バネ１１を設けてカム板１０に付勢力を与えるようにし、係脱した歯部同士が再度係合できるようにする。【選択図】  図１
2005284188.tif 000002
【特許請求の範囲】
【請求項１】
少なくとも、回転力を発生する駆動源と、当該駆動源の回転力を受けて回転する歯部を有する回転部材と、当該回転部材の歯部と係合する歯部を一部に有するカム板とを有し、
前記駆動源の駆動力により前記カム板を駆動させて、少なくとも１つのレンズを当該レンズの光軸方向に駆動するカメラのズーム機構であって、
少なくとも、
前記カム板が有する歯部の少なくとも一方の形成領域終端部にて、当該歯部が前記回転部材の歯部から係脱する係脱機構と、
当該係脱機構により前記カム板の歯部が当該歯部の形成領域終端部にて前記回転部材の歯部から係脱したことに同期して、当該係脱した方向と対向する向きの付勢力を前記カム板に作用させる付勢手段と、
を有する事を特徴とするカメラのズーム機構。
【請求項２】
前記付勢手段は、板バネである事を特徴とする請求項１に記載のカメラのズーム機構。
【請求項３】
前記回転部材は、前記駆動源の回転軸に直結されたピニオンギヤである事を特徴とする請求項１、又は２に記載のカメラのズーム機構。
【請求項４】
前記回転部材は、前記駆動源の回転を減速して前記カム板の歯部に伝達する減速ギヤである事を特徴とする請求項１、又は２に記載のカメラのズーム機構。
【請求項５】
前記カム板は、一定の回転軸を中心に回転駆動する円盤状のカム板である事を特徴とする請求項１〜４の何れか一つに記載のカメラのズーム機構。
【請求項６】
前記カム板は、一定の軸線上を直線駆動する平板状のカム板である事を特徴とする請求項１〜４の何れか一つに記載のカメラのズーム機構。
【請求項７】
前記付勢手段は、前記円盤状のカム板の一部に設けられた切り欠き部に配置されている事を特徴とする請求項５に記載のカメラのズーム機構。
【請求項８】
前記付勢手段は、前記円盤状のカム板に設けられた２つの突出部の間に配置されている事を特徴とする請求項５に記載のカメラのズーム機構。
【請求項９】
前記付勢手段は、前記平板状のカム板に設けられた２つの突出部の間に配置されている事を特徴とする請求項６に記載のカメラのズーム機構。
【請求項１０】
前記付勢手段は、前記平板状のカム板の両側面側に配置されている事を特徴とする請求項６に記載のカメラのズーム機構。
【請求項１１】
前記付勢手段は、前記平板状のカム板に設けられた２つの突出部の、当該カム板の両側端側に配置されていることを特徴とする請求項６に記載のカメラのズーム機構。
【発明の詳細な説明】
【技術分野】
【０００１】
本発明は、カメラのズーム機構に関するものである。
【背景技術】
【０００２】
カメラのズーム機構は、複数のレンズ群をそれぞれ光軸方向に移動させて変倍を行なうことが一般的であり、複数のレンズ群を光軸方向へ移動させる方法としては、複数のレンズ群をそれぞれ保持したレンズ枠を光軸方向に摺動可能に支持して、それらレンズ枠を光軸に直角な方向の軸周りに回転する円盤状のカム板や、光軸に直角な方向に往復動する平板状のカム板により移動させる方法が一般的である。
【０００３】
図７は、カム板に円盤状のカム板を用いた従来技術によるカメラのズーム機構を示す一部分解斜視図である。ハウジング１の内部には、フォーカスレンズ２ａ、及びズームレンズ３ａをそれぞれ保持したレンズ枠２、３が２本のガイドシャフト４、４により、レンズ２ａ、３ａの光軸方向に摺動可能に保持されている。レンズ枠２、３の一端部には、カムピン２ｂ、３ｂがそれぞれ突設されており、当該カムピン２ｂ、３ｂは、ハウジング１の外側面上に回転軸１ａを軸として回転自在に支持された円盤状のカム板５のカム溝５ａ、５ｂにそれぞれ係合している。（例えば、特許文献１参照）
【０００４】
カム板５の外周部には歯部５ｃが設けられており、減速ギヤ６と係合している。減速ギヤ６は、モータ（不図示）の回転を減速してカム板５に伝達すためのものであるが、特に減速する必要がない場合には省略することも可能である。その場合、カム板５の歯部５ｃにはモータの回転軸に直結されたピニオンギヤ（不図示）が直接、係合することとなる。
【０００５】
以下、ズーム動作について説明する。まず、ズーム時にモータを駆動させると、モータの回転力は減速ギヤ６を介してカム板５に伝達される。カム板５に伝達されたモータの回転力は、カム溝５ａ、５ｂに係合しているカムピン２ｂ、３ｂを介してレンズ枠２、３に伝達される。カム板５に設けられたカム溝５ａ、５ｂは、所望するレンズ枠２、３の移動量に対応した曲線形状を有しており、カム板５の回転に伴ってカムピン２ｂ、３ｂがカム溝５ａ、５ｂ内を摺動することによりレンズ枠２、３が光軸方向へ移動し、レンズ枠３側に配置された撮像素子（不図示）に対して変倍動作がなされる。
【０００６】
また、一般的にカム板の外周部に設けられた歯部は、カム板の全周に渡って形成されているが、カム板にはレンズ枠の最大駆動範囲に応じた規定駆動範囲が設定されているため、カム板の歯部と減速ギヤとの係合は、その規定駆動範囲内でのみ行われる。そして、その制御は、駆動回路（不図示）側でモータの回転を規制することにより行われる。尚、カム板には、歯部がカム板の規定駆動範囲内の領域にのみ形成されているものもあるが、この場合も同様にカム板の回転が規制され、カム板の歯部が減速ギヤから係脱しないように制御される。
【特許文献１】特開平１０−３１１４７号公報
【発明の開示】
【発明が解決しようとする課題】
【０００７】
従来のズームの機構では、モータ等の駆動源を用いた場合、レンズ（レンズ枠）の移動範囲の制御は、位置検出センサを用いたクローズドループ制御やオープンループ制御が一般的であり、これらの制御方法を用いれば、カム板が歯部の形成領域の終端部にて減速ギヤ等と係脱するのを防止することが出来る。しかし、これらの制御方法を用いた場合であっても、ズーム機構を駆動させるためのソフトの暴走等により駆動源（モータ）が異常駆動（急激な回転数の増加等）した場合には、カム板が最大移動範囲を超えて動作しようとするため、カム板の歯部やカムピン等の機構部に不要な負荷が掛かり、損傷する可能性があった。
【０００８】
本発明は、このような問題点に鑑みてなされたものであり、レンズ枠の最大駆動範囲、即ちカム板の規定駆動範囲を超えてカム板が移動しようとした際であっても、カム板の歯部やカムピン等の機構部に不要な負荷が掛からないカメラのズーム機構を提供することを目的とする。
【課題を解決するための手段】
【０００９】
少なくとも、回転力を発生する駆動源と、当該駆動源の回転力を受けて回転する歯部を有する回転部材と、当該回転部材の歯部と係合する歯部を一部に有するカム板とを有し、
前記駆動源の駆動力により前記カム板を駆動させて、少なくとも１つのレンズを当該レンズの光軸方向に駆動するカメラのズーム機構であって、
少なくとも、
前記カム板が有する歯部の少なくとも一方の形成領域終端部にて、当該歯部が前記回転部材の歯部から係脱する係脱機構と、
当該係脱機構により前記カム板の歯部が当該歯部の形成領域終端部にて前記回転部材の歯部から係脱したことに同期して、当該係脱した方向と対向する向きの付勢力を前記カム板に作用させる付勢手段と、
を有するカメラのズーム機構とする。
【００１０】
前記付勢手段は、板バネであるカメラのズーム機構とする。
【００１１】
前記回転部材は、前記駆動源の回転軸に直結されたピニオンギヤであるカメラのズーム機構とする。
【００１２】
前記回転部材は、前記駆動源の回転を減速して前記カム板の歯部に伝達する減速ギヤであるカメラのズーム機構とする。
【００１３】
前記カム板は、一定の回転軸を中心に回転駆動する円盤状のカム板であるカメラのズーム機構とする。
【００１４】
前記カム板は、一定の軸線上を直線駆動する平板状のカム板であるカメラのズーム機構とする。
【００１５】
前記付勢手段は、前記円盤状のカム板の一部に設けられた切り欠き部に配置されているカメラのズーム機構とする。
【００１６】
前記付勢手段は、前記円盤状のカム板に設けられた２つの突出部の間に配置されているカメラのズーム機構とする。
【００１７】
前記付勢手段は、前記平板状のカム板に設けられた２つの突出部の間に配置されているカメラのズーム機構とする。
【００１８】
前記付勢手段は、前記平板状のカム板の両側面側に配置されているカメラのズーム機構とする。
【００１９】
前記付勢手段は、前記平板状のカム板に設けられた２つの突出部の、当該カム板の両側端側に配置されているカメラのズーム機構とする。
【発明の効果】
【００２０】
本発明によれば、ソフトの暴走等により駆動源（モータ）が異常駆動し、レンズの移動範囲を超えてカム板が移動しようとした場合であっても、カム板の歯部とピニオンギヤ等との係合が解除されるため、カム板の歯部やカムピン等に不要な負荷が掛からず破損を防止することが出来ると共に、係脱したカム板は板バネの付勢力により即座に再係合するため、良好なズーム動作が保証される。
【発明を実施するための最良の形態】
【００２１】
カム板の規定駆動範囲の終端にて、カム板の歯部と減速ギヤとを係脱させ、それと同時に板バネによりカム板に付勢力を与える構成とする。
【実施例１】
【００２２】
図１は、本発明によるカメラのズーム機構の一実施例を示す要部一部断面図である。尚、従来と同一部材には同符号を付してある。ハウジング１の内部には、２つのレンズ枠２、３が２本のガイドシャフト４、４に摺動可能に保持されている。２つのレンズ枠２、３は、フォーカスレンズ（不図示）、及びズームレンズ（不図示）をそれぞれ保持しており、２本のガイドシャフト４、４により、レンズの光軸方向に摺動可能となっている。レンズ枠２、３にはカムピン２ｂ、３ｂがそれぞれ設けられており、当該カムピン２ｂ、３ｂは、ハウジング１の外側面に回転自在に支持されたカム板１０に設けられたカム溝１０ａ、１０ｂにそれぞれ係合している。カム溝１０ａ、１０ｂは、レンズ枠２、３の移動量に対応した曲線形状を有しており、ズーム動作時には、レンズ枠２、３のカムピン２ｂ、３ｂがこのカム溝１０ａ、１０ｂ内をそれぞれ摺動する。カム板１０外周の一部には、レンズ枠２、３の最大駆動範囲に対応した分のみの歯部１０ｃが形成されて減速ギヤ６と係合しており、その他の部分は一部が切り欠かれた歯部の非形成領域となっている。尚、減速ギヤ６は、駆動源（モータ）の回転を減速するためのものであるが、特に減速が必要ない場合には省略することも可能である。
【００２３】
このように、カム板１０の歯部１０ｃは、レンズ枠２、３の最大駆動範囲に対応した分のみ設けてあり、モータがこのレンズ枠２、３の最大駆動範囲を超えて回転した場合には、カム板１０の歯部１０ｃが歯部の形成領域の終端部にて減速ギヤ６から係脱し、減速ギヤ６が空転するようになっている。そのため、モータを駆動させるソフトが暴走してカム板１０が予め設定された規定駆動範囲を超えて移動しようとした場合であっても、機構全体に負荷を掛けることはない。
【００２４】
また、カム板１０の歯部１０ｃの形成領域と非形成領域との境界部分は段差部１０ｄになっており、この段差部１０ｄにはカム板１０の回転方向の断面と当接するように板バネ１１が設置されている。板バネ１１は、カム板１０の歯部１０ｃが減速ギヤ６から係脱した際に、係脱した方向とは逆方向の付勢力をカム板１０の回転方向の断面に与えるようになっており、付勢力を作用させるタイミングは、カム板１０が減速ギヤ６から係脱したのと同期するように設定されている。
【００２５】
この板バネ１１は、カム板１０の歯部１０ｃが減速ギヤ６と係脱した後、カム板が規定駆動範囲内に復帰できるようにするためのものであり、図に示すように板バネ１１をカム板１０の段差部１０ｄ、１０ｄの間に設置することにより、カム板１０が正転、逆転のどちらの駆動をした場合であっても一枚の板バネ１１で対応が可能となっている。
【００２６】
尚、板バネ１１は、通常は段差部１０ｄに当接しておらず、カム板１０の係脱時にのみ当接するため、レンズ枠２、３のズーム駆動中に不要な負荷を掛けることがなく、消費電力の増加を招くことはない。
【００２７】
図２は、本発明によるカメラのズーム機構のカム板動作を説明するための図で、（ａ）カム板の初期状態、（ｂ）カム板のズーム動作時の状態、（ｃ）カム板の最大倍率時の状態、（ｄ）カム板が規定駆動範囲を超えて回転した状態、（ｅ）カム板が規定駆動範囲内に復帰した状態をそれぞれ示している。以下、図２を参照してカム板のズーム時の動作について説明する。まず、（ａ）に示す状態は、カム板１０の初期状態であり、この状態においてズーム倍率は最小となっている。尚、この状態では、カム板１０には板バネ１１の付勢力は作用していない。（ａ）に示す状態において減速ギヤ６が回転すると、それに伴ってカム板１０が図中矢印で示す方向へ回転し、レンズ枠２、３がカム溝１０ａ、１０ｂの曲線に沿って互いに近接する方向に移動して（ｂ）に示すズーム状態へ移行する。
【００２８】
（ｂ）に示す状態から更にカム板１０の回転が進むと、（ｃ）に示すようにカム板１０の一端部（段差部１０ｄ）が板バネ１１に当接した状態となり、ズーム倍率が最大となる。この状態では、カム板１０には板バネ１１による付勢力は作用していないが、カム板１０の回転が不要に妨げられない範囲では、多少の付勢力が作用していてもよい。そして、この状態においてカム板１０は、規定駆動範囲の終端に位置しており、通常ならば、カム板１０がこれ以上回転することはない。
【００２９】
しかし、ズーム動作を制御するソフトが暴走した場合などには、駆動源（不図示）が更に回転するため、それに伴ってカム板１０が規定駆動範囲を超えて更に回転し、（ｄ）に示す状態となる。この状態においては、カム板１０の歯部１０ｃが減速ギヤ６の歯部から係脱していると共に、カム板１０の段差部１０ｄに当接した板バネ１１が撓んだ状態となっており、図中矢印で示すようにカム板１０の回転方向とは逆方向の付勢力がカム板１０の段差部１０ｄに作用している。この状態で減速ギヤ６が更に回転しても、板バネ１１の付勢力と減速ギヤ６の回転力とのバランスにより、カム板１０の歯部Ａに減速ギヤの歯部（例えばＡ、Ｂ）が順次係合と係脱を繰り返すだけで、カム板１０がそれ以上回転することはない。つまり、カム板１０の歯部Ａに減速ギヤ６の歯部Ａが接触している状態で、更に減速ギヤ６の回転が進むと、カム板１０の歯部Ａが減速ギヤ６の歯部Ａに押されてカム板１０が図中矢印の方向へ回転し、カム板１０の歯部Ａと減速ギヤ６の歯部Ａが係脱する。
【００３０】
減速ギヤ６の歯部Ａが係脱した後は、板バネ１１の付勢力により、カム板１０が図中矢印で示す方向とは逆方向に押されて回転し、減速ギヤ６の次の歯部Ｂがカム板１０の歯部Ａと係合する。以降、減速ギヤ６の回転に伴って同じ動作が繰り返される。尚、本明細書において空転とは、このような動作をしている状態のことを言うものである。
【００３１】
従来のズーム機構では、カム板の歯部が減速ギヤ等から係脱しない構成となっているため、ソフトが暴走した場合などにカム板が規定駆動範囲を超えて回転しようとすると、ズーム機構全体に不要な負荷が掛かって構成部品が破損する可能性があった。例え、カム板の歯部が減速ギヤ等から係脱する構成となっていたとしても、係脱した方向とは逆方向に付勢をする機構がなければ、カム板は係脱したまま再度係合することができない。
【００３２】
従来のズーム機構であっても、ソフトの暴走を想定してカム板やレンズ枠の規定駆動範囲に余裕を持たせて設計すれば、対処することも可能であると考えられるが、その場合、レンズ枠の移動距離を余計に長くしなければならず、構成自体が大型化するという問題があり、小型化が重要視されるカメラのズーム機構では致命的である。
【００３３】
次いで、（ｄ）に示す状態において減速ギヤ６の回転を反転させると、カム板１０の歯部Ａが減速ギヤ６の歯部Ａと再び係合し、カム板１０が（ｅ）に示すように規定駆動範囲内に復帰する。カム板１０には板バネ１１による付勢力が掛かっているため、カム板１０は常に減速ギヤ６の歯部１０ｃと再係合できる位置にある。そのため、減速ギヤ６を反転させた際には、迅速かつ確実にカム板１０の規定駆動範囲内への復帰、即ち反転動作が行える。
【００３４】
また、図３は、カム板に円盤状のカム板を用いた場合の別の実施形態を示す要部一部断面図であり、上述の実施例においては、円盤状のカム板の一部を切り欠いた形状のカム板を用いた構成として説明したが、図３に示すような円形のカム板１２を用いた場合であっても、カム板１２の平面上に２つの突出部１２ａ、１２ａを設け、当該突出部１２ａ、１２ａの間に板バネ１１を配置することにより上述の実施例と同様の作用、効果を得ることが可能である。
【実施例２】
【００３５】
図４は、本発明によるカメラのズーム機構を示す要部一部断面図で、カム板に平板状のカム板を用いた実施形態を示している。本実施例２は、カム板に平板状のカム板を用いているだけで、基本的な構成は、前記実施例１で説明した円盤状のカム板を用いた場合と同じである。
【００３６】
平板状のカム板２０は、ハウジング２１の外側面に一定の軸線上を直線駆動するように滑動自在に支持されており、当該カム板２０に設けられたカム溝２０ａ、２０ｂにレンズ枠２、３のカムピン２ｂ、３ｂがそれぞれ係合している。カム溝２０ａ、２０ｂは、レンズ枠２、３の移動量に対応した曲線形状を有しており、ズーム動作時にはレンズ枠２、３のカムピン２ｂ、３ｂがこのカム溝２０ａ、２０ｂ内を摺動する。また、カム板２０の平面上には２つの突出部２０ｃ、２０ｃが設けられており、その間に板バネ１１が設置されている。カム板２０には、この突出部２０ｃを介して付勢力が加えられる。そして、カム板２０の移動は、当該カム板２０の一端部に設けられた歯部２０ｄに減速ギヤ６が係合して減速ギヤ６の回転力が直線的な駆動力に変換されることによりなされる。
【００３７】
図５は、本発明によるカメラのズーム機構の平板状カム板の動作を説明するための図で、（ａ）カム板の初期状態、（ｂ）カム板のズーム動作時の状態、（ｃ）カム板の最大倍率時の状態、（ｄ）カム板が規定駆動範囲を超えて回転した状態、（ｅ）カム板が規定駆動範囲内に復帰した状態をそれぞれ示している。以下、図５を参照して平板状のカム板のズーム時における動作について説明する。まず、（ａ）に示す状態は、カム板２０の初期状態であり、この状態においてズーム倍率は最小となっている。尚、この状態では、カム板２０の突出部２０ｃには板バネ１１の付勢力は作用していない。そして、（ａ）に示す状態において減速ギヤ６が回転すると、それに伴ってカム板２０が図中矢印で示す方向へ平行移動してレンズ枠２、３がカムピン２ｂ、３ｂを介してカム溝２０ａ、２０ｂの曲線に沿って互いに近接する方向に移動し、（ｂ）に示すズーム状態へ移行する。
【００３８】
（ｂ）に示す状態から減速ギヤ６の回転に伴って更にカム板２０の移動が進むと、（ｃ）に示すようにカム板２０に設けられたの突出部２０ｃが板バネ１１に当接した状態となり、ズーム倍率が最大となる。この状態では、カム板２０には板バネ１１による付勢力は作用していないが、カム板２０の移動が不要に妨げられない範囲では、多少の付勢力が作用していてもよい。そして、この状態においてカム板２０は、規定駆動範囲の終端、即ちレンズ枠２、３の駆動範囲の限界点に位置しており、レンズ枠２と３とが最も近接した状態となっているため、通常ならばカム板２０がこれ以上移動することはない。
【００３９】
しかし、ズーム動作を制御するソフトが暴走した場合などには、駆動源（不図示）が更に回転するため、それに伴ってカム板２０がこの規定駆動範囲を超えて更に移動し、（ｄ）に示す状態となる。この状態においては、カム板２０の歯部２０ｄが減速ギヤ６の歯部から係脱していると共に、カム板２０の突出部２０ｃに当接した板バネ１１が撓んだ状態となっており、図中矢印で示すようにカム板２０の移動方向とは逆方向の付勢力がカム板２０に作用している。この状態で減速ギヤ６が更に回転しても、板バネ１１の付勢力と減速ギヤ６の回転力とのバランスにより、カム板２０の歯部Ａに減速ギヤ６の歯部（例えばＡ、Ｂ）が順次係合と係脱を繰り返すだけで、カム板２０がそれ以上移動することはない。つまり、カム板２０の歯部Ａに減速ギヤ６の歯部Ａが接触している状態で更に減速ギヤ６の回転が進むと、カム板２０の歯部Ａが減速ギヤ６の歯部Ａに押されてカム板２０が図中矢印の方向へ移動し、カム板２０の歯部Ａと減速ギヤ６の歯部Ａが係脱する。
【００４０】
減速ギヤ６の歯部Ａが係脱した後は、板バネ１１の付勢力により、カム板２０が図中矢印で示す方向とは逆方向に押されて移動し、減速ギヤ６の次の歯部Ｂがカム板２０の歯部Ａと係合する。以降、減速ギヤ６の回転に伴って同じ動作が繰り返される。
【００４１】
そして、（ｄ）に示す状態において減速ギヤ６の回転を反転させると、カム板２０の歯部Ａが減速ギヤ６の歯部Ａと再び係合し、カム板２０が（ｅ）に示すように規定駆動範囲内に復帰する。カム板２０には板バネ１１による付勢が掛かっているため、カム板２０の歯部２０ｄは常に減速ギヤ６の歯部と再係合できる位置にある。そのため、減速ギヤ６を反転させた際には、迅速かつ確実にカム板２０の規定駆動範囲内への復帰、即ち反転動作が行える。
【００４２】
このように、カム板に平板状のカム板を用いた場合であっても、前記円盤状のカム板を用いた場合と同様に本発明を適用することが可能である。
【００４３】
図６は、カム板に平板状のカム板を用いた場合の別の実施形態を示す図で、（ａ）は２つの板バネを２つの突出部のカム板両側端側にそれぞれ配置した形態を示しており、（ｂ）は２つの板バネをカム板の両側面側にそれぞれ配置した形態を示している。本発明は、上述した実施形態の他、（ａ）に示すように２つの板バネ１１を２つの突出部２０ｃのカム板両側端側にそれぞれ配置したり、（ｂ）に示すように２つの板バネ１１をカム板２０の両側面側にそれぞれ配置し、カム板２０の側面に直接付勢力を作用させるようにしてもよい。しかしながら、部品点数を削減するという意味では、上述の実施形態のように１つの板バネ１１を２つの突出部２０ｃの間に配置するのが望ましい。
【００４４】
以上説明したように、本発明の要旨は、カム板が規定駆動範囲を超えて移動しようとした際に、カム板の歯部と減速ギヤ（ピニオンギヤ）の歯部との係合を積極的に解除（係脱）してズーム機構全体に不要な負荷が掛からないようにすると共に、カム板の駆動を逆転した際に係脱した歯部同士が即座に再係合できるようにすることである。従って、本発明は、上記説明した実施例にとどまらず、例えば円筒形のカムを用いた場合であっても板バネの設置スペースさえ確保できれば本発明として適用可能であり、これらに限定されるものではない。
【００４５】
また、付勢手段としては板バネを用いたが、カム板に付勢力を作用させるものであれば本発明の趣旨を逸脱しない範囲内ではどのような形態（形状）のものを用いても構わず、例えばコイルバネを用いることも可能であり、これらに限定されるものではない。
【図面の簡単な説明】
【００４６】
【図１】本発明によるズーム機構を示す要部一部断面図（実施例１）
【図２】本発明によるズーム機構のカム板の動作を説明するための図で、（ａ）カム板の初期状態、（ｂ）カム板のズーム動作時の状態、（ｃ）カム板の最大倍率時の状態、（ｄ）カム板が規定駆動範囲を超えて回転した状態、（ｅ）カム板が規定駆動範囲内に復帰した状態を示している。（実施例１）
【図３】カム板に円形のカム板を用いたカメラのズーム機構を示す要部一部断面図（実施例１）
【図４】カム板に平板状のカム板を用いたカメラのズーム機構を示す要部一部断面図（実施例２）
【図５】カム板に平板状のカム板を用いたカメラのズーム機構のカム板の動作を説明するための図で、（ａ）カム板の初期状態、（ｂ）カム板のズーム動作時の状態、（ｃ）カム板の最大倍率時の状態、（ｄ）カム板が規定駆動範囲を超えて回転した状態、（ｅ）カム板が規定駆動範囲内に復帰した状態を示している。（実施例２）
【図６】カム板に平板状のカム板を用いたカメラのズーム機構の別の実施形態を示す図で、（ａ）は２つの板バネを２つの突出部のカム板両側端側にそれぞれ配置した形態を示しており、（ｂ）は２つの板バネをカム板の両側面側にそれぞれ配置した形態を示している。（実施例２）
【図７】カム板に円盤状のカム板を用いた従来技術によるカメラのズーム機構を示す一部分解斜視図
【符号の説明】
【００４７】
１      ハウジング
１ａ    回転軸
２      レンズ枠
２ａ    フォーカスレンズ
２ｂ    カムピン
３      レンズ枠
３ａ    ズームレンズ
３ｂ    カムピン
４      ガイドシャフト
５      カム板
５ａ    カム溝
５ｂ    カム溝
５ｃ    歯部
６      減速ギヤ
１０    カム板（円盤状）
１０ａ  カム溝
１０ｂ  カム溝
１０ｃ  歯部
１０ｄ  段差部
１１    板バネ
１２    カム板（円形）
１２ａ  突出部
２０    カム板（平板状）
２０ａ  カム溝
２０ｂ  カム溝
２０ｃ  突出部
２０ｄ  歯部
２１    ハウジング
【図１】
2005284188.tif 000003
【図２】
2005284188.tif 000004
【図３】
2005284188.tif 000005
【図４】
2005284188.tif 000006
【図５】
2005284188.tif 000007
【図６】
2005284188.tif 000008
【図７】
2005284188.tif 000009